(57)【要約】【課題】  構造が簡単で大型ビルの各房を効率良く空調できるばかりでなく、殺菌、脱臭機能をも有する空調機を提供する。【解決手段】  大型ビル内に設置された空調機と、この空調機に割り当てられた複数の房及び当該空調機を連結するダクトとを有する空調ユニットにおいて、ダクトと空調機との接続部にイオン発生装置を配設し、イオン発生装置を作動させた状態で空調機を作動させることにより、殺菌、脱臭機能を有するイオンをダクトを通して各房に供給する。【選択図】図１
2011058788.tif 000002
【特許請求の範囲】
【請求項１】
大型ビル内に設置された空調機と、この空調機に割り当てられた複数の房及び当該空調機を連結するダクトとを有する空調ユニットにおいて、ダクトと空調機との接続部にイオン発生装置を配設したことを特徴とする大型空調機。
【発明の詳細な説明】
【技術分野】
【０００１】  この発明は、ビルディング用の大型空調機（以下単に空調機という）に係り、特に、構造が簡単で、性能が良い殺菌装置を備えた空調機に関する。
【背景技術】
【０００２】  下記特許文献１には、イオン発生装置を備えた空調機に係る発明が記載されている。【０００３】  この空調機は、放電によるイオン発生装置を備え、発生したイオンを室内に放出して空中に浮遊する細菌を殺菌するものである。【０００４】  また、下記特許文献２に記載されたイオン空気発生装置は、空気中に吐出された微小水滴の吐出方向を横切る方向に空気を導いて空気内に負イオンを供給するもので、この負イオンを用いて室内の脱臭、殺菌を行う。【０００５】  更にまた、下記特許文献３に記載された負イオン発生装置は、高速回転する回転筒に水を供給しつつ遠心力により高速で振り出させ、複数の回転筒から振り出される微小水滴を相互に激突させることにより負イオンを発生させる。【０００６】  加えて、下記特許文献４に記載された負イオン発生装置は、ノズルから噴出させた水を網目を有するスクリーンに衝突させることにより負イオンを含むミスト雰囲気を形成し、外気に負電荷を与えることにより負イオンの濃度を増加させるものである。
【先行技術文献】
【特許文献】
【０００７】
【特許文献１】  特許第３６８０１２１号に係る特許公報
【特許文献２】  特許第３１４２８２４号に係る特許公報
【特許文献３】  特許第３７１０５３３号に係る特許公報
【特許文献４】  特許第３８４４３７５号に係る特許公報
【発明の概要】
【発明が解決しようとする課題】
【０００８】  上記特許文献１〜４に記載された空調機は、個人住宅の居室、ビルの事務室、病院の病室、手術室、学校の教室、厨房など（以下単に房という）の各房毎に設置するように構成されているので、大型のビル（ビルディング）の数百房の各房毎に空調機を設置するとした場合、その価格が非常に高価になるばかりでなく、保守管理も大変であることは言うまでもない。【０００９】  そこで、この発明は、構造が簡単で大型ビルの各房を効率良く空調できるばかりでなく、殺菌、脱臭機能をも有する空調機を提供することを目的としている。
【課題を解決するための手段】
【００１０】  上記の目的を達成するため、この発明は、大型ビル内に設置された空調機と、この空調機に割り当てられた複数の房及び当該空調機を連結するダクトとを有する空調ユニットにおいて、ダクトと空調機との接続部にイオン発生装置を配設したことを特徴とする。
【発明の効果】
【００１１】  上記のように構成されたこの発明による空調機は、イオン発生装置を作動させた状態で空調機を作動させることにより、殺菌、脱臭機能を有するイオンがダクトを通って各房に供給されるので、空調ユニットの本来の機能を利用して空調機にイオン発生装置の機能を付加することができ、空調しながら各房の空間に浮遊する細菌を殺し、あるいは房内空間の脱臭を行うことができる。【００１２】  この場合、空調ユニットそのものが巨大なイオン発生装置を構成することになる。【００１３】  また、各空調ユニットに１個のイオン発生装置を設ければよいので、構造が非常に簡単で実施が容易である、等種々の効果を奏する。
【図面の簡単な説明】
【００１４】
【図１】  この発明の一実施例を示すブロック図。
【図２】  この発明の一実施例によるイオン発生装置の構成を示す線図。
【図３】  この発明の他の実施例によるイオン発生装置の構成を示す線図。
【発明を実施するための形態】
【００１５】  大型ビル内に設置された空調機と、この空調機に割り当てられた複数の房と当該空調機とを連結するダクトとを有する空調ユニットにおいて、ダクトと空調機との接続部にイオン発生装置を配設するという簡単な構成により、空調機に殺菌、脱臭装置を兼ねさせることができた。
【実施例１】
【００１６】  図１において符号１はビルの各階における空調ユニットを示し、この空調ユニット１は、房２、２と空調機３とを連結するダクト４とを備えている。【００１７】  図示の実施例では、空調機３は各階に１個ずつ設けられているものとし、したがって空調ユニット１は各階に１個ずつ割り当てられている。【００１８】  なお、図１において上下方向はビルの階を示し、左右方向は各階における水平方向の広がりを示している。【００１９】  また、図１におけるダクト４は線として描かれているが、実際にはその断面積がかなり大きいことは周知であり、更にまた、大型ビルにおける空調機３は、通常、冷凍機により冷水を、ヒーターにより温水を作って各房と熱交換をするタイプの空調機であるが、冷媒を圧縮、膨張させるタイプの空調機も用いることができることは言うまでもない。【００２０】  なお、図１におけるダクト４の各房に接続される枝管は、各房の天井を突き抜けて房内に突き出ているように描かれているが、上記枝管は、例えば、各房の内側面上方に形成されたダクト開口に接続しても良い。【００２１】  通常の大型の空調機は上記のような構成であるが、この発明による空調機は、図１に示すように、空調機３とダクト４との接続部にイオン発生装置５が配設されている。【００２２】  すなわち、空調機３から噴き出す冷気、又は暖気は、イオン発生装置５によって生成された正イオン及び／又は負イオンを巻き込んでダクト４内に流入し、ダクト４によって各房に送給され、ダクトの枝管の先端から房内に流入する。【００２３】  そして、房内において、正及び負イオンが空中に浮遊する細菌を殺菌し、あるいは、オゾンが室内の有臭物質を脱臭する。【００２４】  なお、上記イオン発生装置５としては各種のものが提案され、また、実用されているが、本発明者が種々のイオン発生装置を検証した結果、特許第３６８０１２１号に係るもの、すなわち、登録商標：プラズマクラスター（シャープ株式会社：住所  大阪府大阪市阿倍野区長池町２２番２２号  製造）が好適である。【００２５】  その理由は、イオン発生装置として可動部が少なく信頼性が高いこと、及び、イオン発生装置を積層することにより大量のイオンを発生させることを期待できるからである。【００２６】  このプラズマクラスターは、誘電体を挟んで対向する電極間に交流電圧を印加することにより正イオンとしてＨ＋（Ｈ２Ｏ）ｍ（ｍは正整数）、負イオンとして
Ｏ２−（Ｈ２Ｏ）ｎ（ｎは正整数）が発生する。【００２７】  このプラズマクラスターの構造の一例を図２に示す。図２において符号６は誘電体としてのパイレックスガラス板を示し、このガラス板６を挟んで金属のメッシュからなる接地電極７と印加電極８とがガラス板６の両面に夫々貼着されている。【００２８】  そして、両電極７、８に所定電圧の交流電圧を印加すると、誘電体６の両側に上記正、負のイオンＨ＋（Ｈ２Ｏ）ｍ及びＯ２−（Ｈ２Ｏ）ｎが発生し、これら正、負のイオンが各房内に送給されて房内空間の殺菌、脱臭を行うことは上記した通りである。【００２９】  図３はこの発明の変形実施例を示し、この実施例は、生成イオン量を増大させるため、図３に示すイオン発生ユニットの複数を、所定の間隔及びスペーサ９を介して、誘電体の厚さ方向に積層したものである。【００３０】  この場合、空調機からの冷気又は暖気は、各電極の表面の上を吹き抜けることができるように、図３の紙面に垂直な方向に送給するのが望ましい。【００３１】  なお、図３に示すイオン発生装置は、相互に対向する電極が異極であると場合によっては放電が生じる恐れがあるので同極にしてあるが、誘電体６、６の間隔が十分大きい場合、或いは印加電圧が小さい場合には、電極が正負、正負と並んでも良い。
【実施例２】
【００３２】  なお、本発明を実施するにあたり、図示の実施例に限定されることなく種々に変形して実施することができる。【００３３】  例えば、イオン発生装置５として前記特許文献２〜４に記載されたイオン発生装置を夫々採用できる他、実用可能なあらゆるイオン発生装置を用いることができる。
【符号の説明】
【００３４】１  空調ユニット
２  房
３  空調機
４  ダクト
５  イオン発生装置
６  誘電体
７  接地電極
８  印加電極
９  スペーサ
【図１】
2011058788.tif 000003
【図２】
2011058788.tif 000004
【図３】
2011058788.tif 000005